(57)【要約】【課題】水上作業者等が着用した場合に救命具の装着を忘れることがなく、しかも装着時の嵩張り感が小さいので作業の邪魔にならずに済む救命具付きの胸当てズボンを提供する。【解決手段】ベルト８を設けた胴周り部の上部に胸当て部３と背当て部４を有する胸当てズボン１に救命具として浮き袋１５を取り付けて構成する。浮き袋１５は、背当て部４の内側に設ける。浮き袋１５は、水の浸入または手動で浮き袋内に膨張用の気体を送り込む気体充填装置２０を備える。背当て部４に開口１０を設け、ここから気体充填装置２０を外部へ臨ませる。開口１０の外側に、開口１０を覆うカバー１１を設ける。装着者５が落水してカバー１１がめくれ、開口部１０からから背当て部４内へ水が入ると、カット装置１６が水の浸入を感知して炭酸ガスボンベ２０から炭酸ガスを浮き袋１５内へ送り込み、浮き袋１５が膨張する。【選択図】　　　　図３
2004122920.tif 000002
【特許請求の範囲】
【請求項１】
胴周り部の上部に少なくとも背当て部を有する胸当てズボンに救命具を設けてなる救命具付きの胸当てズボンにおいて、上記背当て部の内側に膨縮可能な浮き袋体を設けるとともに、該浮き袋体に、水の浸入または手動で上記浮き袋体に膨張用の気体を送り込む気体充填装置を取り付け、上記背当て部に開口部を設け、該開口部から上記気体充填装置を外部へ臨ませてなることを特徴とする救命具付きの胸当てズボン。
【請求項２】
請求項１の救命具付き胸当てズボンにおいて、上記背当て部の上記開口部外側に、該開口部を覆うカバーを設けてなり、該カバーの上縁を上記開口部の上縁上側で上記背当て部に取り付けてなることを特徴とする救命具付き胸当てズボン。
【請求項３】
請求項２の救命具付き胸当てズボンにおいて、上記カバーが、それぞれ上記背当て部に取り付ける外カバーとその内側に位置する防水カバーとからなり、上記外カバーの下部をメッシュ材で形成するとともに、上縁及び右側縁を上記開口の上縁より上側で上記背当て部に固定し、下縁及び左側縁を上記背当て部に着脱可能に取り付け、上記防水カバーの上縁及び右側縁を上記開口の上縁より上側で上記背当て部に固定し、下縁及び左側縁をフリーにしてなることを特徴とする救命具付き胸当てズボン。
【発明の詳細な説明】
【０００１】
【発明の属する技術分野】
本発明は、船員、漁労従事者、港湾作業者等の水上や海上で作業を行う者が多く着用する胸当てズボンに関し、特に救命機能を付与するための救命具付きのものに関する。
【０００２】
【従来の技術及び発明が解決しようとする課題】
水上や海上作業者の多くは、防寒、防水、汚れ防止等を目的としていわゆる胸当てズボンタイプで防水加工などを施したズボンを、同じく防水加工等を施した上着とともに着用することが多い。このような作業着は、「合羽」等と称されている。
【０００３】
一方、上記のような作業者には作業中に誤って海中に転落するような事故が発生することがある。そのため、一定の条件下で作業する際には救命具を着用することが義務付けられている。
【０００４】
水上作業者等が着用する救命具としては、チョッキ型の救命衣が知られている。すなわち、両袖のないチョッキ型の胴衣の胴部内に高圧ガスで膨らませる膨脹体を収納したタイプや発泡スチロール、コルク等の浮力体を縫込んだ固定タイプ等がある。
【０００５】
既述のように、落水の可能性がある場合には救命衣を常時着用する必要があるが、装着すると嵩張って動きづらくなったり、気温が高いと非常に暑かったりするので、激しい労働を強いられる漁船員等は装着を好まなかった。特に胸当てズボンタイプのものを着用している場合には、救命具の装着を怠ることが多かった。
【０００６】
そのため、法規的に装着が義務付けられていても実際には救命衣なしで作業を行ったりしていることがあった。また、魚釣りやヨット等の水上レジャーも盛んになっているが、同様の理由で救命衣を着けないで水上に出てしまう者が多かった。
【０００７】
ところが、胸当てズボンタイプのものを着用したまま水中に転落すると、胸の部分が開いているため水がズボンの内側へどっと入り込み、すぐに泳げなくなってしまいやすく、救命具を装着していないと生命の危険に曝されやすい。
【０００８】
本発明は上記従来の問題点にかんがみ、胸当てズボンと救命具を一体化し、しかも装着時の嵩張り感が小さく、作業の邪魔にならない救命具付き胸当てズボンを提供することを目的とする。
【０００９】
【課題を解決するための手段】
本発明の救命具付きの胸当てズボンのうち請求項１に係るものは、上記目的を達成するために、胴周り部の上部に少なくとも背当て部を有する胸当てズボンに救命具を設けてなる救命具付きの胸当てズボンにおいて、上記背当て部の内側に膨縮可能な浮き袋体を設けるとともに、該浮き袋体に、水の浸入または手動で上記浮き袋体に膨張用の気体を送り込む気体充填装置を取り付け、上記背当て部に開口部を設け、該開口部から上記気体充填装置を外部へ臨ませてなることを特徴とする。
【００１０】
同請求項２に係るものは、上記目的を達成するために、請求項１の救命具付き胸当てズボンにおいて、上記背当て部の上記開口部外側に、該開口部を覆うカバーを設けてなり、該カバーの上縁を上記開口部の上縁上側で上記背当て部に取り付けてなることを特徴とする。
【００１１】
同請求項３に係るものは、上記目的を達成するために、請求項２の救命具付き胸当てズボンにおいて、上記カバーが、それぞれ上記背当て部に取り付ける外カバーとその内側に位置する防水カバーとからなり、上記外カバーの下部をメッシュ材で形成するとともに、上縁及び右側縁を上記開口の上縁より上側で上記背当て部に固定し、下縁及び左側縁を上記背当て部に着脱可能に取り付け、上記防水カバーの上縁及び右側縁を上記開口の上縁より上側で上記背当て部に固定し、下縁及び左側縁をフリーにしてなることを特徴とする。
【００１２】
【発明の実施の形態】
以下本発明の実施の形態を図面を参照して説明する。
図１は本発明に係る救命具付きの胸当てズボンの一実施形態を示す断面図、図２は同正面図（Ａ）と背面図（Ｂ）である。これらの図において、１は救命機能を備えた胸当てズボンで、ズボン部２と胸当て部３及び背当て部４からなり、その素材としては例えば汚れ難く、防水性を有するもの、例えばナイロン、ポリエステル等の合成繊維生地にポリウレタンフィルムやポリウレタン樹脂を張り合わせあるいはコーティング処理等したものを用いるとよい。図中５は装着者である。
【００１３】
背当て部４はサスペンダ（すなわちズボン吊り）６を有し、胸当て部３にはサスペンダ６を止める受け７が設けてある。サスペンダ６は通常のものと同様に着脱自在でかつ長さを調節可能なものを用いるとよい。
【００１４】
またズボン部２の胴周り部位内側には例えばゴム製等のベルト８が通してあり、胴部を適度に締め付け得るようにしてある。
【００１５】
さらに背当て部４には、ほぼ中央部に開口１０が設けてあり、その外側を覆うようにカバー１１が取り付けてある。また背当て部４の内側には膨張、収縮可能な浮き袋１５の一部が適宜の手段で固定してあり、浮き袋１５の外側で開口１０と対応する部位には、水の浸入または手動で浮き袋１５に膨張用のガスを送り込むための気体充填装置（カット装置）１６が取り付けてあり、その外側部位は開口１０から背当て部４の外面側に臨ませてある。
【００１６】
浮き袋１５は、装着者５の胴部全周に亘るいわゆるドーナツ状のものでも、あるいは例えば図３に示すような装着者５の体前方中央対応部位を非連続とした略Ｕ字形や馬蹄形等と称し得る平面形状とし得るものでもよいが、図示の例は棒状のものを用い、膨張度を低くして装着者５の胴部に沿って曲がり得るようにしたものを用い、平坦な上縁を胸当てズボン１の内側に縫い付けるようになっている。非膨張時に平坦な形状で背当て部４の内側の範囲内に折り畳む等して収めることが可能な形状を取り得るものでもよい。また詳細な図示は省略するが、例えばカバー内に折り畳んで包むことにより、背当て部４に固定するものなども採用できる。もちろん固定には、縫い付けだけでなく、接着等で固定しても、あるいはベルクロファスナ等を用いて着脱可能にしても、どのような形態でもよい。もちろん浮き袋１５の素材は、浮体として使用可能なものであればどのようなものでもよいが、例えばナイロンの基布にポリウレタンをコーティングして防水加工を施してなるもの等が好ましい。
【００１７】
なお、浮き袋１５の寸法、具体的には内径寸法は、装着時に装着者５の胸や脇の下等に緩く嵌り得る適宜の寸法とする。もちろん装着者５の体格に合わせて種々のサイズのものを用意してもよい。
【００１８】
さらに浮き袋１５の一端側には、浮き袋１５が膨張した際に装着者５の身体の正面側に位置する部位に、装着者５が口で浮き袋１５を膨らませるためのオーラルチューブ１８が固着してある。オーラルチューブ１８は、浮き袋１５の膨張度が低いときは息を吹き込んでさらに膨張させ、膨張度が高すぎるときは浮き袋１５内の炭酸ガスを逃がしてすこししぼませるという操作を装着者５が行うためのものである。
【００１９】
カット装置１６は、水の浸入または手動で浮き袋１５に膨張用の炭酸ガスを送り込む気体充填装置である。このカット装置３としては公知のものを用いればよいが、例えば図３に示すものは、水等の液体がケーシング内へ浸入したことを図示せぬセンサーが感知すると炭酸ガスボンベ２０の封止口に穴を開け、炭酸ガスを浮き袋１５内へ送り込むようになっている。また外部には手動で炭酸ガスボンベ２０の穴開けを操作するための紐２１が設けてある。炭酸ガスボンベ２０は着脱可能なタイプになっている。もちろん気体充填装置としては図示の例に限定されず、種々のものを採用可能である。
【００２０】
上述のようなカット装置１６では、落水時などの水の浸入以外でも水分の付着などで誤作動してしまうことがある。そこで本実施形態ではカバー１１を外カバー３０と防水カバー３１で構成し、外カバー３０の下部をメッシュ材３２とすることで水等の浸入度合を調整し、誤作動の防止を図っている。すなわち図４に示すように、外カバー３０は上縁及び右側縁を開口１０の上縁の上側に縫い付けて固定してあり（逆Ｌ字状になる縫い目を符号ｘで示す。）、下縁及び左側縁をベルクロファスナ３３で背当て部４に固定できるようにしてある。また外カバー３０の内側に位置する防水カバー３１は、同じく上縁及び右側縁を開口１０の上縁の上側にヒートシールや縫い付け等で固定してあり（逆Ｌ字状になる縫い目を符号ｙで示す。）、下縁及び左側縁をフリーにしてある。
【００２１】
すなわち本実施形態では、装着者５が水をかぶった程度ではカバー１１の構成が上述のようにいわば２重になっているので、開口１０内へ水などが入り込むことはなく、誤作動することもないが、装着者５が例えば船上から落水すると、カバー１１の外カバー３０に設けたメッシュ材３２を介して水が入り込み、フリーになっている防水カバー３１の下縁及び左側縁を通って開口部１０からから背当て部４内へ水が入り、カット装置１６が水の浸入を感知し、既述のように炭酸ガスボンベ２０から炭酸ガスが浮き袋１５内へ送り込まれ、浮き袋１５が膨張する。
【００２２】
このとき、浮き袋１５が胸当て部３や背当て部４の内側に留まっていればベルト１７の連結操作を行わなくてもよいが、浮き袋１５には当然浮力が掛かるので、図１中に点線で示すように装着者５の脇の下へ入り込むことが考えられる。非常に安定した浮力を得るには浮き袋１５を持ち上げ脇の下に収まるようにすることが好ましく、必要があればオーラルチューブ１０で息を浮き袋１５に吹き込んだり、炭酸ガスを逃がしたりして浮き袋１５の膨張度合いを調節すればよい。なお、水中での装着者５の姿勢によっては浮き袋１５が装着者５の脚のほうへ移動することも考えられるが、そのような動きはズボン部２のベルト８により妨げられるので、浮き袋１５が脚から外れることはない。
【００２３】
なお、胸当てズボン１は内側に浮き袋１５をいわば収納する形態になるので、比較的ゆったりとしたサイズのものとすることが好ましい。また上着についての図示及び説明は省略しているが、本実施形態の胸当てズボン１を上着とあわせて着用することももちろん可能である。
【００２４】
【発明の効果】
本発明に係る救命具付きの胸当てズボンは、以上説明してきたようなものなので、水上作業者等が着用した場合、胸当てズボンと救命具が一体化しているので救命具の装着を忘れることがなく、しかも装着時の嵩張り感が小さいので作業の邪魔にならずに済むという効果がある。
【図面の簡単な説明】
【図１】本発明に係る救命具付きの胸当てズボンの一実施形態を示す断面図である。
【図２】同正面図（Ａ）と背面図（Ｂ）である。
【図３】同浮き袋の形状を示す平面図である。
【図４】同カバーの構造を示す平面図である。
【符号の説明】
１　胸当てズボン
２　ズボン部
３　胸当て部
４　背当て部
５　装着者
６　サスペンダ（すなわちズボン吊り）
７　サスペンダの受け
８　ベルト
１０　開口
１１　カバー
１５　浮き袋
１６　気体充填装置（カット装置）
１８　オーラルチューブ
２０　炭酸ガスボンベ
２１　紐
３０　外カバー
３１　防水カバー
３２　メッシュ材
３３　ベルクロファスナ
【図１】
2004122920.tif 000003
【図２】
2004122920.tif 000004
【図３】
2004122920.tif 000005
【図４】
2004122920.tif 000006